(57)【要約】      （修正有）【課題】ベースバーまたはブリッジと、基準面に平行に前記ベースバーに対して位置が調節可能な少なくとも１つの調節可能なバーまたはブリッジとを備える、調節可能な時計組立体を提供する。【解決手段】ベースバーと、基準面に平行にベースバーに対して位置が調節可能な、調節可能なバー２０とを備える調節可能な時計組立体５０であって、調節可能な組立体５０は、ベースバーと一体化した第１のピン１１上で回転して誘導され、ベースバーの中に圧入された第１の調節ピニオン１３とかみ合う第１の歯付セクタ１２を含む、あそびを取り除くために第１の戻しばね１４により加えられる戻し力を受ける第１の部分を含み、調節可能なバー２０は、第１の部分と一体化した第２のピン２１上で回転して誘導され、第１の部分の中に圧入された第２の調節ピニオン２３とかみ合う第２の歯付セクタ２２を含み、調整可能なバー２０は第２の戻しばね２４の戻し力を受ける。【選択図】図２
2019109230.tif 000002
【特許請求の範囲】
【請求項１】
ベースバーまたはブリッジ（１）と、基準面に平行に前記ベースバー（１）に対して位置が調節可能な少なくとも１つの調節可能なバーまたはブリッジ（２０）とを備える調節可能な時計組立体（５０）であって、前記調節可能な組立体（５０）は、前記ベースバー（１）と一体化した第１のピン（１１）を中心に回転して誘導される少なくとも１つの第１の部分（１０）を含み、前記第１の部分（１０）は、前記ベースバー（１）の中に圧入された第１の調節ピニオン（１３）とかみ合う第１の歯付セクタ（１２）を含むこと、ならびに前記調節可能なバー（２０）は、前記第１の部分（１０）と一体化した第２のピン（２１）を中心に回転して誘導され、前記第１の部分（１０）の中に圧入された第２の調節ピニオン（２３）とかみ合う第２の歯付セクタ（２２）を含むことを特徴とする調節可能な時計組立体（５０）。
【請求項２】
前記第１の部分（１０）は、どんなあそびでも取り除くために、第１の戻しばね（１４）により加えられる戻しトルクを受けること、および前記調節可能なバー（２０）は、どんなあそびでも取り除くために、第２の戻しばね（２４）により加えられる戻しトルクを受けることを特徴とする、請求項１に記載の調節可能な組立体（５０）。
【請求項３】
前記第１のピン（１１）および前記第１の調節ピニオン（１３）により形成される第１の方向は、前記第２のピンおよび前記第２の調節ピニオン（２３）により規定される第２の方向と交わり、それによって６０°〜９０°の間に含まれる角度を形成すること特徴とする、請求項１または請求項２に記載の調節可能な組立体（５０）。
【請求項４】
前記調節可能なバー（２０）は、少なくとも１つのねじ（２５）により前記ベースバー（１）に固定され、前記ねじ（２５）の周囲で、前記調節可能なバー（２０）と前記第１の部分（１０）の間に配列された摩擦ばね（２６）は、前記ねじ（２５）が調節段階でねじを緩められたとき、前記調節可能なバー（２０）を動けなくするように配列されることを特徴とする、請求項１または請求項２に記載の調節可能な組立体（５０）。
【請求項５】
請求項１に記載の少なくとも１つの調節可能な組立体（５０）を含むムーブメント（１００）。
【請求項６】
請求項５に記載の少なくとも１つのムーブメント（１００）を含む、および／または請求項１に記載の少なくとも１つの調節可能な組立体（５０）を含む時計（１０００）。
【請求項７】
前記時計はウオッチであることを特徴とする、請求項６に記載の時計（１０００）。
【請求項８】
前記時計はフライ・バック・クロノグラフであることを特徴とする、請求項７に記載の時計（１０００）。
【発明の詳細な説明】
【技術分野】
【０００１】
本発明は、ベースバーまたはブリッジと、基準面に平行に前記ベースバーに対して位置が調節可能な少なくとも１つの調節可能なバーまたはブリッジとを備える、調節可能な時計組立体に関する。
【０００２】
本発明はまた、少なくとも１つのそのような調節可能な組立体を含む時計ムーブメントに関する。
【０００３】
本発明はまた、そのような時計ムーブメントおよび／またはそのような調節可能な組立体を含む時計、詳細にはウオッチに関する。
【０００４】
本発明は、時計機構の分野に関する。
【背景技術】
【０００５】
ある種の時計の歯車セットは、それらの２つの枢動点が高精度で整列することを必要とする。枢動点が、いくつかのバーにより分離された２つの板またはバーの中で枢動するとき、製造許容範囲が蓄積することにより、著しい整列誤差を生み出す可能性がある。
【０００６】
Ｖａｕｃｈｅｒの名義の特許文献１は、バーの枢動点の位置を調節するための解決手段を提案している。この調節可能なバーは、ムーブメントのフレーム部材に固定された取付部材を含む。調節可能なバーは、第１の可動部材が第１の軸に沿って取付部材に対して動くことができるようにする第１組の可撓性のある継手により、先行する部材に接続された第１の可動部材と、第２の可動部材が実質的に第２の軸に沿って第１の軸と垂直に第１の可動部材に対して動くことができるようにする第２組の可撓性のある継手を介して、第１の可動部材に接続され、時計要素を保持する第２の可動部材とをさらに含む。第１の可動部材は、第１の軸に垂直な、ムーブメントのフレーム部材上に締まりばめで回転可能に取り付けられた第１の偏心輪の頭部を位置決めする第１の細長いスロットを含む。第２の可動部材は、第２の軸に垂直な、時計ムーブメントのフレーム部材上に締まりばめで回転可能に取り付けられた第２の偏心輪の頭部を位置決めする第２の細長いスロットを含む。バーの幾何形状は複雑であり、したがって、作成するのが困難である。
【０００７】
ＥＴＡの名義の特許文献２は、基準軸を形成する基準時計歯車セットと、ガイド面を有する一方の端部が、前記ガイド面を受け入れるためのガイド部材、およびマイクロメータの手法で基準軸に対して前記ガイド部材を動かすように配列されたマイクロメータ変位手段を含み、かつ基準軸およびガイド部材に対してずれた調節部材により制御されるマイクロメータ変位機構を用いて前記基準軸に対して位置が調節可能な調節可能な時計歯車セットとを備える時計機構について開示している。
【先行技術文献】
【特許文献】
【０００８】
【特許文献１】欧州特許第３１４４７４１号明細書
【特許文献２】スイス特許出願公開第７０７２６７号明細書
【発明の概要】
【発明が解決しようとする課題】
【０００９】
バーを調節することにより、２つの枢動点を整列させる問題を克服することが本発明の目的である。解決手段は、簡単であること、およびバーは、従来の美観を維持することができることが望ましい。
【課題を解決するための手段】
【００１０】
この目的を達成するために、本発明は、請求項１に記載の調節可能な時計組立体に関する。
【００１１】
本発明はまた、少なくとも１つのそのような調節可能な組立体を含む時計ムーブメントに関する。
【００１２】
本発明はまた、そのような時計ムーブメントおよび／または少なくとも１つのそのような調節可能な組立体を含む時計、詳細にはウオッチに関する。
【００１３】
本発明の他の特徴および利点は、添付図面を参照して以下の詳細な説明を読むことにより明らかになるであろう。
【図面の簡単な説明】
【００１４】
【図１】ベースバーにピンで留められ、かつベースバーの中に圧入された第１の調節ピニオンと前記第１の部分に備わった第１の歯付セクタとの間で、協働によってベースバーの単一ピンに対して角度を調節可能な第１の部分を備える本発明による調節可能な組立体の、第１水平面の概略平面図を示す。
【図２】別の単一ピンにより前記第１の部分にピン留めされ、第１の部分の中に圧入された第２の調節ピニオンと調節可能なバーに備わった第２の歯付セクタとの間で、協働によって上記単一ピンに対して同じく角度を調節可能な、調節可能なバーを、上側水平面で、図１の第１の部分の上方に含む調節可能な組立体全体を、図１に類似する手法で示す。
【図３】調節可能なバーとベースバーの間の直接接続を詳細に示す、図２の線Ｂ−Ｂ上の断面図である。
【図４】本発明による調節可能な組立体の、図２の線Ａ−Ａ上の断面図である。
【図５】そのような調節可能な組立体をさらに含むムーブメントを含む時計を表す構成図である。
【発明を実施するための形態】
【００１５】
本発明は、ベースバーまたはブリッジ１と、基準面に平行に前記ベースバー１に対して位置が調節可能な少なくとも１つの調節可能なバーまたはブリッジ２０とを備える、調節可能な時計組立体５０に関する。
【００１６】
より詳細には、ベースバー１および調節可能なバー２０は、実質的に平坦であり、実質的に互いに平行に配列され、調節は、基準面上への投影で、ベースバー１および調節可能なバー２０を互いに対して相対的位置に決めすることに関係があり、ベースバー１は、基準面に平行に広がる。
【００１７】
図面は、特定の限定しない適用例を示し、そこでは、調節可能なバー２０は、ベースバー１に対して位置を正確に調節されなければならない石２００を保持する。
【００１８】
第１の部分１０は、ベースバー１と一体化した第１のピン１１を中心に回転して誘導される。この第１の部分１０はまた、ベースバー１の中に圧入された第１の調節ピニオン１３とかみ合う第１の歯付セクタ１２を含む。第１の部分１０は、どんなあそびでも取り除くために、第１の戻しばね１４により装着される。
【００１９】
調節可能なバー２０は、第１の部分１０と一体化した、第１のピン１１から離して位置決めされた第２のピン２１を中心に回転して誘導される。調節可能なバー２０と一体化した第２の歯付セクタ２２は、第２の調節ピニオン２３とかみ合う。この第２の調節ピニオン２３は、第１の調節ピニオン１３から離して、有利にはできるだけ遠く離して位置決めされる。
【００２０】
第２の調節ピニオン２３は、第１の部分１０の中に圧入される。「圧入」は、ここでは、および以下の説明では、これらの構成要素が、振動の下で、または衝撃があった場合に、動作中のどんな相対的枢動も防止するのに十分な摩擦を有するが、ねじ回し、または類似の工具などの、ウオッチ専門家が操作する工具が与えるトルクの下で枢動を可能にするのに十分な弱い摩擦を有する弱い締まりばめで、一方の内側に他方を取り付けられること意味する。直径での把持は、１マイクロメートル〜２０マイクロメートルの間に含まれる。より具体的には、排他的ではなく、直径での把持は、４マイクロメートル〜１８マイクロメートルの間に含まれる。さらにより具体的には、直径での把持は、８マイクロメートル〜１６マイクロメートルの間に含まれる。調節可能なバー２０は、どんなあそびでも取り除くために、第２の戻しばね２４により装着される。調節可能なバー２０は、少なくとも１つのねじ２５により、詳細には図１〜図５に示す変形形態では２つのねじ２５により、ベースバー１に固定される。調節可能なバー２０は、バー１の上に載るが、第１の部分１０の上には載らない。
【００２１】
第１のピン１１および第１の調節ピニオン１３により形成される第１の方向は、第２のピン２１および第２の調節ピニオン２３により規定される第２の方向と交わる。時計ムーブメント、および時計ムーブメントが含有するその他の構成要素の寸法を考慮すると、これらのピンおよび調節ピニオンの位置決めは、完全に自由であるというわけではなく、調節を容易にするために、この第１の方向および第２の方向が垂直になる構成にできるだけ近くとどまることが重要である。好ましくは、これらの方向は、第１の方向と第２の方向の間で、６０°〜９０°の間に含まれる角度で形成される。図面に示す一例の実施形態では、これらの方向は、ほぼ６０°の角度を形成する。この角度の規定はまた、調節感度をできるだけ大きく高めるために、一方では第１のピン１１と第１の調節ピニオン１３の間の距離、および他方では第２のピン２１と第２の調節ピニオン２３の間の距離を、それぞれ最大にすることを必要とする別の制約条件に伴う妥協の結果である。
【００２２】
調節可能なバー２０の１つまたは複数のねじ２５が完全にねじ込まれないとき、調節可能なバー２０（およびしたがって、たとえば調節可能なバー２０の中に圧入された宝石軸受２００）を２つの垂直な線に近い２つの円弧を描いて動かし、かつ調節可能なバー２０の位置を２つの軸に沿って調節することが可能である。各ねじ２５の周囲に、調節可能なバー２０とベースバー１の間に配列された、環状のばねフォイルまたは類似のタイプの摩擦ばね２６を前記ばね２５に提供することは有利であり、前記摩擦ばね２６は、調節段階の間にねじ２５を緩めたとき、調節可能なバー２０を動けなくするように配列される。２つのねじ２５を緩めて調節を遂行するとき、調節可能なバー２０は動かず、それにより、正確な調節が可能になる。
【００２３】
この解決手段を用いた場合、いったんムーブメントを完全に組み立てたら、調節可能なバー２０を２つの軸に沿って調節することにより、２つの枢動点を容易に整列させることができる。
【００２４】
したがって、図面のスロットにより形成された、第１の調節ピニオン１３の第１のガイド部材１３１に与えられた非常に小さな回転が、第１のピン１１に対する第１の部分１０のさらに小さな回転に変換され、それにより、正確なマイクロメータの調節を確実にするように、第１のピン１１はまた、第１の調節ピニオン１３からできるだけ遠く離して移動させられる。同じことは、第２のガイド部材２３１を含む、第２のピン２１および第２の調節ピニオン２３に当てはまる。
【００２５】
図４は、図２のＡ−Ａ上の断面図を示し、左から右へ以下を示す。
−ベースバー１の、筐体１３０の中に、詳細には穴の中に圧入された第１の調節ピニオン１３であり、図示する変形形態では、この圧入は、弱い締まりばめであり、ウオッチ専門家によるスロット１３１に対する活動により、調節を遂行することが可能になる。別の変形形態（図示せず）では、第１の調節ピニオンは、ジャンパーなどにより、ある角度位置で停止する。当然、第１の調節ピニオンの角度位置を較正して、ウオッチ専門家の作業を容易にすることができる。
−調節可能なバー２０と、第１の部分１０と、ベースバー１とが重なった状態。
−調節可能なバー２０の中に圧入された、調節されるべき石２００。
−第２の歯付セクタ２２を含むラック２２０を具備し、リベットもしくはねじ、または接合もしくは類似の部材などの固定部材２２１により固定された、調節可能なバー２０と、第１の部分１０と、ベースバー１とが重なった状態。
−ベースバー１を直接圧迫する、調節可能なバー２０。
−第２の歯付セクタ２２と、第１の部分１０の、筐体２３０の中に、詳細には穴の中に圧入された第２の調整ピニオン２３との間の、第１の調節ピニオン１３に類似する手法での協働。
【００２６】
図４は、ベースバー１と調節可能なバー２０の間に位置決めされた第１の部分１０を示す。第１の部分１０は、ベースバー１を圧迫することができる、または適切な寸法の支持物上で、第１の部分１０の単一の枢動ピン１１上で片持ち梁のように飛び出ることができることが理解される。
【００２７】
一変形形態では、第１の部分１０は、ベースバー１を圧迫する調節可能なバー２０の上にあり、したがって、調節可能なピニオン２３は、第１の部分１０の真下にある。同様に、このとき第１の部分１０は、調節可能なバー２０を圧迫することができる、または第１の部分１０の単一の枢動ピン１１上で片持ち梁のように飛び出ることができる。
【００２８】
当然、本発明について、限定しない手法で、単一の調節水平面で例示するが、ピン筐体および調節ピニオン筐体を用いて、ベースバー１と同じ方法で調節可能なバー２０を配列することにより、および第１の部分１０に類似する、第２の調節可能なバーが調節可能である対象の第２の部分を含む第２の水平面を形成することにより、推定することが可能であることは明らかである。そのような調節可能な水平面を一続きに配列することは、ムーブメント全体の厚さだけにより制限される。
【００２９】
同様に、有利な手法では、同じベースバー１は、ベースバー１の両側で、一方が第１の上側部分および上側の調節可能なバーを有し、他方が第１の下側部分および下側の調節可能なバーを有する、２つの独立した調節水平面に対する支持物の役割を果たすことができる。
【００３０】
本発明はまた、少なくとも１つのそのような調節可能な組立体５０を含むムーブメント１００に関する。
【００３１】
本発明はまた、少なくとも１つのそのようなムーブメント１００を含む、および／または少なくとも１つのそのような調節可能な組立体５０を含む時計１０００、詳細にはウオッチに関する。
【００３２】
本発明は、スプリット・セコンド・ウオッチまたは類似のウオッチなどの、２つの
枢動点の間で高精度を必要とする任意の時計機構に主に関心がある。
【符号の説明】
【００３３】
１  ベースバーまたはブリッジ
１０  第１の部分
１１  第１のピン
１２  第１の歯付セクタ
１３  第１の調節ピニオン
１４  第１の戻しばね
２０  調節可能なバーまたはブリッジ
２１  第２のピン
２２  第２の歯付セクタ
２３  第２の調節ピニオン
２４  第２の戻しばね
２５  ねじ、ばね
２６  摩擦ばね
５０  調節可能な時計組立体
１００  ムーブメント
１３０  ベースバーの筐体
１３１  第１のガイド部材、スロット
２００  石、宝石軸受
２２０  ラック
２２１  固定部材
２３１  第２のガイド部材
２３０  第１の部分の筐体
１０００  時計
【図１】
2019109230.tif 000003
【図２】
2019109230.tif 000004
【図３】
2019109230.tif 000005
【図４】
2019109230.tif 000006
【図５】
2019109230.tif 000007